(57)【要約】【課題】配線溝５３内にコード状ヒータ５４を配線する形態の電気式床暖房パネルＡにおいて、コード状ヒータ５４に繰り返し荷重による疲労等が生じるのを回避し、同時に遮音性も向上させる。【解決手段】長尺状の木質基材５０Ａの裏面に長辺方向に沿う複数の配線溝５３が形成され、そこにコード状ヒータ５４が配線されている電気式床暖房パネルＡにおいて、木質基材５０Ａには配線溝５３に交差するようにして短辺に平行な多数の遮音溝５７が形成されている。そして、前記配線溝５３の溝幅ｗはコード状ヒータ５４の直径ｄよりも広く形成されている。【選択図】図４
2008051469.tif 000002
【特許請求の範囲】
【請求項１】
長辺側は直線状であり短辺側は直線状または雁木状とされた長尺状の木質基材の裏面に長辺方向に沿う複数の配線溝が形成され、該配線溝にはコード状ヒータが配線されている電気式床暖房パネルであって、木質基材には前記配線溝に交差するようにして短辺に平行な多数の遮音溝が形成されており、かつ前記配線溝の溝幅はコード状ヒータの直径よりも広く形成されていることを特徴とする電気式床暖房パネル。
【請求項２】
前記配線溝の溝幅はコード状ヒータの直径の１．１〜１．３倍の範囲であることを特徴とする請求項１に記載の電気式床暖房パネル。
【請求項３】
木質基材の裏面には緩衝材が貼り付けられていることを特徴とする請求項１または２に記載の電気式床暖房パネル。
【発明の詳細な説明】
【技術分野】
【０００１】
本発明は電気式床暖房パネルに関し、特に発熱源としてコード状ヒータを備える電気式床暖房パネルに関する。
【背景技術】
【０００２】
木質基材の裏面に面ヒータや線ヒータを組み込んだ電気式床暖房パネルを用いて床暖房構造を施工することは知られている。特許文献１には面ヒータを用いた電気式床暖房パネルの一例が記載され、特許文献２にはコード状ヒータを用いた電気式床暖房パネルが記載されている。床暖房構造としたときの遮音性能を高めるために、木質基材に遮音溝を形成することも行われており、また、ヒータを組み込んだ木質基材の裏面に弾性を持つ緩衝材が貼り付けて、いわゆる直貼りタイプの電気式床暖房パネルとすることも行われている。
【０００３】
特許文献１に記載の電気式床暖房パネルは、長辺側は直線状であり短辺側は雁木状とされた長尺状の木質基材の裏面に短辺側と平行な多数の遮音溝を形成し、該木質基材の裏面に、伸張性を有するシート、面ヒータおよび緩衝材をこの順で積層するようにしている。この形態の木質基材のように、短辺側と平行な多数の遮音溝を形成することにより、木質基材の可撓性が大きくなり、電気式床暖房パネルとして、衝撃音に対する十分な遮音性能が確保される。
【０００４】
製造に当たっても、可撓性の大きい木質基材を平坦面上に置き、その上に伸張性を有するシート、面ヒータおよび緩衝材をこの順で積層すればよく、製造も容易である。また、床暖房構造を施工するとき、また施工後に表面から荷重がかかったときに、電気式床暖房パネルに曲がりや沈み込みが生じやすいが、面ヒータはそれにある程度は追従することができ、格別の支障は生じない。
【０００５】
特許文献２に記載の電気式床暖房パネルのように、発熱源としてコード状ヒータを用いる場合には、木質基材の裏面にコード状ヒータを配線するための配線溝が形成され、電気式床暖房パネルの製造時に、該配線溝の中にコード状ヒータが埋め込まれる。埋め込み作業を容易化するために、実際の床暖房パネルで使用される木質基材では、配線溝の横幅は埋め込もうとするコード状ヒータの直径と同じとされ、上から溝内にコード状ヒータを押し込むだけで、摩擦力によりコード状ヒータが溝内に固定されるようにされている。
【０００６】
【特許文献１】特開２００２−１０６８６９号公報
【特許文献２】特開２００５−１２０８１０号公報
【発明の開示】
【発明が解決しようとする課題】
【０００７】
特許文献２に記載の形態の電気式床暖房パネル、すなわち木質基材の裏面に形成した配線溝内にコード状ヒータを配線した電気式床暖房パネルにおいて、特に裏面に緩衝材を貼り付けた場合には、施工後に表面から荷重がかかったときにパネル（木質基材）の沈み込みが生じやすく、歩行等による上からの荷重が繰り返し加わると、配線溝内に組み込んだコード状ヒータに木質基材のひずみに起因する応力が繰り返しかかる。そのような繰り返し応力に耐え得るようにコード状ヒータは外皮コーティング等に十分な配慮がなされているが、そのためにコード状ヒータのコストが高くなっている。
【０００８】
遮音性を向上させるべく木質基材に、その短辺側と平行に多数の遮音溝を形成すると木質基材の可撓性が大きくなことから、前記した上からの荷重による木質基材の反り等がさらに生じやすくなり、配線溝内に組み込んだコード状ヒータに繰り返し応力が一層かかりやすくなる。そのために、特許文献２に記載される形態の電気式床暖房パネル（すなわち、コード状ヒータを用いる電気式床暖房パネル）では、配線溝に平行な方向に遮音溝を形成して木質基材に可撓性を与えるようにしているが、十分な可撓性が得られていない。また、この場合でも、木質基材の沈み込みによる繰り返し荷重が配線溝内に嵌入されたコード状ヒータに直接作用するのを避けることはできない。
【０００９】
本発明は、上記のような事情に鑑みてなされたものであり、配線溝内にコード状ヒータを配線する形態の電気式床暖房パネルにおいて、コード状ヒータに繰り返し荷重がかかるのを回避することができ、同時に遮音性も向上させることができる電気式床暖房パネルを提供することを目的とする。
【課題を解決するための手段】
【００１０】
本発明による電気式床暖房パネルは、長辺側は直線状であり短辺側は直線状または雁木状とされた長尺状の木質基材の裏面に長辺方向に沿う複数の配線溝が形成され、該配線溝にはコード状ヒータを配線されている電気式床暖房パネルであって、木質基材には前記配線溝に交差するようにして短辺に平行な多数の遮音溝が形成されており、かつ前記配線溝の溝幅はコード状ヒータの直径よりも広く形成されていることを特徴とする。
【００１１】
上記の電気式床暖房パネルでは、木質基材は短辺に平行に多数の遮音溝が形成されており、高い可撓性が得られる。一方、長手方向に走る配線溝の溝幅はそこに配線するコード状ヒータの直径よりも大きな溝幅とされており、木質基材のひずみによる応力がコード状ヒータに伝わる程度は大きく緩和される。そのために、本発明による電気式床暖房パネルを用いて構築された床暖房構造において、衝撃音に対する高い遮音性が得られることに加え、比較的低コストのコード状ヒータを採用しても、繰り返し荷重により生じる疲労等によりコード状ヒータが損傷するのを効果的に回避することができる。
【００１２】
前記配線溝の溝幅はコード状ヒータの直径の１．１〜１．３倍の範囲であることが好ましい。本発明者らの実験では、１．１倍よりも小さい溝幅の場合は、木質基材側の挙動が配線溝を通してコード状ヒータに伝達される可能性が高くなり好ましくなく、また、１．３倍を超えるような溝幅の場合は、コード状ヒータから木質基材側への熱伝達効率が低下するので好ましくなかった。
【００１３】
本発明による電気式床暖房パネルにおいて、木質基材の裏面に緩衝材が貼り付けられていることは好ましく、より高い歩行感が得られる。この場合に、電気式床暖房パネルの沈み込み量は大きくなるが、前記のように、木質基材の挙動がコード状ヒータに直接伝達されるのは回避できるので、コード状ヒータに悪影響を与えることはない。なお、木質基材は、３プライ、５プライ、７プライ等の合板基材であってもよく、ＭＤＦのような木質系の基材であってもよく、無垢材による基材であってもよい。木質基材の表面に化粧単板等の化粧材が積層されていてもよい。
【発明の効果】
【００１４】
本発明によれば、配線溝内にコード状ヒータを配線する形態の電気式床暖房パネルにおいて、コード状ヒータに繰り返し荷重による疲労等が生じるのを回避することができ、かつ遮音性も向上させることができる。それにより、低コストで住環境に優れた電気式床暖房構造を構築することができる。
【発明を実施するための最良の形態】
【００１５】
以下、図面を参照しながら、本発明を実施の形態に基づき説明する。図１は本発明による電気式床暖房パネルの一例を示す平面図、図２は図１のＩ−Ｉ線による断面図、図３は図１のＩＩ−ＩＩ線による断面図である。図４は図１に示す電気式床暖房パネルの底面図であり、緩衝材層は外してある。図５は図１に示す電気式床暖房パネルにおける配線溝とコード状ヒータとの関係を説明するための図である。
【００１６】
図示される本発明による電気式床暖房パネルＡにおいて、木質基材５０Ａは、図２に示すように、周囲に雄実５１と雌実５２が形成された長尺状の単位ピース５０が長手方向に位置をずらしながら雁木状に組み付けられて、１つの木質基材５０Ａとされている。すなわち、図１に示すように、木質基材５０Ａは、長辺側は直線状であり、短辺側は雁木状とされた長尺状である。図示しないが、短辺側も直線状である全体が長方形であってもよい。木質基材５０Ａの全体としての大きさは、３００ｍｍ×９００ｍｍ程度である。各単位ピース５０には合板が用いられ、厚みは８ｍｍ程度である。各単位ピース５０の表面には突き板等の表面化粧材（不図示）が好ましくは積層される。
【００１７】
各単位ピース５０の裏面には、図４に示すように、主に長辺方向に沿うようにして単位ピース当たり３本の配線溝５３がＵターン部等で連続するように形成されており、隣接する単位ピース５０の接合部でも配線溝５３同士は連続している。連続する配線溝５３の中には、コード状ヒータ５４が埋め込まれており、コード状ヒータ５４の端部はコネクターに５５、５６に電気的に接続している。
【００１８】
この例で、図５に示すように、コード状ヒータ５４の直径ｄは２．８ｍｍであり、配線溝５３の溝深さｈはほぼ２．８ｍｍ、溝幅ｗはほぼ３．２ｍｍとされている。すなわち、配線溝５３の溝幅ｗはコード状ヒータ５４の直径ｄより広く、この例では、配線溝５３の溝幅ｗはコード状ヒータ５４の直径ｄの１．１５倍程度である。
【００１９】
また、各単位ピース５０の裏面には、配線溝５３に交差するようにして単位ピース５０の短辺に平行な多数の遮音溝５７が形成されている。限定されるものではないが、この例において、遮音溝５７の溝幅はほぼ２ｍｍ、各遮音溝５７間のピッチはほぼ１５ｍｍ程度である。
【００２０】
木質基材５０Ａの裏面には、コネクター５５、５６の収容部を除いて、全面に緩衝材６０が貼り付けられている。この例において、緩衝材６０は、図２，図３に示すように、不織布層６１と樹脂発泡体層６２との２層構成であり、不織布層６１が木質基材５０Ａの裏面側に面して積層されている。不織布層６１と樹脂発泡体層６２はともに４ｍｍ程度の厚さであり、緩衝材６０の全体厚さはほぼ８ｍｍである。従って、上記した電気式床暖房パネルＡの厚さはほぼ１６ｍｍ程度である。好ましくは、前記不織布層６１はポリエチレン繊維製の不織布で形成され、前記樹脂発泡体層６２はポリウレタンの発泡体で形成される。なお、緩衝材６０はこの構成に限られるものではなく、例えば不織布層６１のみ、樹脂発泡体層６２のみ等、任意である。緩衝材６０そのものを省略することもできる。
【００２１】
上記の電気式床暖房パネルＡが、例えばコンクリートスラブのような床下地の上に電気的に接続しながら敷き詰められることにより、電気式床暖房構造とされる。この電気式床暖房パネルＡは、木質基材５０Ａの裏面には、配線溝５３に交差するようにして短辺に平行な多数の遮音溝５７が形成されており、全体としての可撓性が向上して高い遮音性能が得られる。
【００２２】
一方、木質基材５０Ａの可撓性が高くなることにより、電気式床暖房パネルＡに上からの荷重がかかったときに、木質基材５０Ａ（単位ピース５０）の反り等のひずみが出やすくなる。図示のもののように、裏面に緩衝材６０を積層した場合には、その弾性変形により、電気式床暖房パネルＡに沈み込みが生じ、それによっても木質基材５０Ａにはひずみが生じる。
【００２３】
しかし、本発明による電気式床暖房パネルＡでは、木質基材５０Ａの主に長手方向に走る配線溝５３の溝幅ｗはそこに配線するコード状ヒータ５４の直径ｄよりも大きな溝幅とされており、木質基材５０Ａのひずみによる応力がコード状ヒータ５４に伝わる程度は大きく緩和される。そのために、本発明による電気式床暖房パネルＡを用いて構築された床暖房構造においては、衝撃音に対する高い遮音性が得られることに加え、繰り返し荷重がかかることによる疲労等によってコード状ヒータ５４が損傷するのを効果的に回避することができる。
【図面の簡単な説明】
【００２４】
【図１】本発明による電気式床暖房パネルの一例を示す平面図。
【図２】図１のＩ−Ｉ線による断面図。
【図３】図１のＩＩ−ＩＩ線による断面図。
【図４】図１に示す電気式床暖房パネルから緩衝材を外した状態での底面図。
【図５】図１に示す電気式床暖房パネルにおける配線溝とコード状ヒータとの関係を説明するための図。
【符号の説明】
【００２５】
Ａ…本発明による電気式床暖房パネル、５０Ａ…木質基材、５０…単位ピース、５１…雄実５１、５２…雌実、５３…配線溝、５４…コード状ヒータ、５５，５６…コネクター、５７…遮音溝、６０…緩衝材、６１…不織布層、６２…樹脂発泡体層
【図１】
2008051469.tif 000003
【図２】
2008051469.tif 000004
【図３】
2008051469.tif 000005
【図４】
2008051469.tif 000006
【図５】
2008051469.tif 000007